(57)【要約】【課題】部品装着用凹部に確実に装着できる接続端子付電子部品の共用化と、携帯端末の小型化とを両立させる。【解決手段】下側筐体５（携帯端末本体）に充電池２０（接続端子付電子部品）を装着する電池装着用凹部１０を凹陥し、電池装着用凹部１０に充電池２０側へ突出する係合爪１７を突設する。充電池２０（携帯端末用接続端子付電子部品）の厚さ方向中間部に、この係合爪１７が係合する係合用凹部２１を凹陥する。充電池２０を電池装着用凹部１０に装着した状態で、この充電池２０の表面側を電池蓋１５（蓋部材）で覆う。【選択図】図８
2011244156.tif 000002
【特許請求の範囲】
【請求項１】
接続端子を有する接続端子付電子部品を備えた携帯端末において、
上記接続端子付電子部品を装着する部品装着用凹部が凹陥された携帯端末本体と、
上記部品装着用凹部の１つの側壁に上記接続端子付電子部品側へ突出するように設けられた係合爪と、
上記接続端子付電子部品の１つの側面両端における厚さ方向中間部に凹陥され、上記係合爪が係合する係合用凹部と、
上記接続端子付電子部品の裏面を上記部品装着用凹部の底壁に当接させて装着した状態で該接続端子付電子部品の表面側を覆う蓋部材とを備えている
ことを特徴とする接続端子付電子部品を備えた携帯端末。
【請求項２】
請求項１に記載の接続端子付電子部品を備えた携帯端末において、
上記接続端子付電子部品の接続端子は、上記接続端子付電子部品の１つの側面に設けられ、
上記部品装着用凹部の１つの側壁には、上記接続端子付電子部品の接続端子に電気的に接続可能な本体側接続端子が設けられ、
上記係合用凹部は、上記側面における上記電子部品側接続端子が上記本体側接続端子と接続される位置と厚さ方向の同じ範囲内に該電子部品側接続端子を挟み込むように複数配置されている
ことを特徴とする接続端子付電子部品を備えた携帯端末。
【請求項３】
請求項１又は２に記載の接続端子付電子部品を備えた携帯端末において、
上記部品装着用凹部の周縁には、上記蓋部材に当接する封止部材を収容するための封止部材収容部が形成されている
ことを特徴とする接続端子付電子部品を備えた携帯端末。
【請求項４】
請求項１乃至３のいずれか１つに記載の接続端子付電子部品を備えた携帯端末において、
上記係合用凹部は、上記蓋部材側の面が該蓋部材側に向かって広がっている
ことを特徴とする接続端子付電子部品を備えた携帯端末。
【請求項５】
請求項１乃至４のいずれか１つに記載の接続端子付電子部品を備えた携帯端末において、
上記接続端子付電子部品は、充電池である
ことを特徴とする接続端子付電子部品を備えた携帯端末。
【請求項６】
１つの側面の厚さ方向中間部に接続端子が設けられ、該接続端子を挟み込むように、該１つの側面の両端における厚さ方向中間部に複数の係合用凹部が形成され、
上記係合用凹部は、厚さ方向一方の面に向かって広がっている
ことを特徴とする携帯端末用接続端子付電子部品。
【発明の詳細な説明】
【技術分野】
【０００１】
本発明は、携帯端末用接続端子付電子部品及びそれを備えた携帯端末に関するものである。
【背景技術】
【０００２】
従来より、携帯した場合に外部電源を必要としない、接続端子付電子部品としての充電池を備えた携帯端末は知られている。例えば、特許文献１では、充電池における接続端子を有する側面に、この接続端子を挟み込むように突起を設け、携帯端末本体に凹陥した部品装着用凹部の側壁に上記突起に合わせて係合用の凹部を設け、充電池を部品装着用凹部に確実に装着させるようにしている。なお、この充電池の突起の位置は、充電池の厚さ方向における充電池の接続端子と本体側の接続端子との接続位置に対し、ずれた位置にある。
【０００３】
また、従来より、着脱可能なカートリッジ式ハードディスクドライブや、フラッシュメモリを用いたドライブ装置であるＳＳＤ（Solid State Drive ）等の接続端子付電子部品を備えた携帯端末が知られている。
【先行技術文献】
【特許文献】
【０００４】
【特許文献１】特開２００７−１５７４５２号公報
【発明の概要】
【発明が解決しようとする課題】
【０００５】
しかしながら、従来の接続端子付電子部品を備えた携帯端末では、接続端子付電子部品側に突起を設ける関係で、この突起の位置に合わせて携帯端末本体の部品装着用凹部側に係合用の凹部を形成する必要があるが、近年の携帯端末の小型化に伴って携帯端末本体内部の基板や電子部品の配置の制約により、凹部を設けることができる位置が機種ごとに異なる場合がある。このような場合は、接続端子付電子部品側の突起の位置を変更せざるを得ず、接続端子付電子部品の共用を妨げる原因となる。
【０００６】
本発明は、かかる点に鑑みてなされたものであり、その目的とするところは、部品装着用凹部に確実に装着できる接続端子付電子部品の共用化と、携帯端末の小型化とを両立させることにある。
【課題を解決するための手段】
【０００７】
上記の目的を達成するために、この発明では、接続端子付電子部品と部品装着用凹部との係合構造を改善した。
【０００８】
具体的には、第１の発明では、接続端子を有する接続端子付電子部品を備えた携帯端末を前提とし、
上記携帯端末は、
上記接続端子付電子部品を装着する部品装着用凹部が凹陥された携帯端末本体と、
上記部品装着用凹部の１つの側壁に上記接続端子付電子部品側へ突出するように設けられた係合爪と、
上記接続端子付電子部品の１つの側面両端における厚さ方向中間部に凹陥され、上記係合爪が係合する係合用凹部と、
上記接続端子付電子部品の裏面を上記部品装着用凹部の底壁に当接させて装着した状態で該接続端子付電子部品の表面側を覆う蓋部材とを備えている。
【０００９】
上記の構成によると、携帯端末本体の部品装着用凹部側に係合爪を突出させているので、従来のように部品装着用凹部に係合用凹部を形成する必要はなく、携帯端末本体内に基板や電子部品を配置するときに制約を受けることはない。このため、部品装着用凹部に係合爪を設けやすくなり、接続端子付電子部品の共用化が容易となる。また、接続端子付電子部品の厚さ方向中間部に設けた係合用凹部に係合爪を係合させるようにしているので、例えば接続端子付電子部品の蓋部材側（表面側）に係合用凹部を設ける場合のように係合用凹部及び係合爪が露出せず、接続端子付電子部品装着時の見映えがよくなる。しかも部品装着用凹部の周縁に封止部材を設けて防水構造にするような場合には、封止部材と係合爪及び係合用凹部との干渉を避けるために封止部材のサイズを大きくする必要がない。さらに係合用凹部が接続端子付電子部品側面の両端に設けられているので、接続端子付電子部品側の回路実装が制約を受けることはない。
【００１０】
第２の発明では、第１の発明において、
上記接続端子付電子部品の接続端子は、上記接続端子付電子部品の１つの側面に設けられ、
上記部品装着用凹部の１つの側壁には、上記接続端子付電子部品の接続端子に電気的に接続可能な本体側接続端子が設けられ、
上記係合用凹部は、上記側面における上記電子部品側接続端子が上記本体側接続端子と接続される位置と厚さ方向の同じ範囲内に該電子部品側接続端子を挟み込むように複数配置されている。
【００１１】
すなわち、本体側接続端子は、通常押込可能に構成され、押し込まれたときの反発力で電子部品側接続端子と本体側接続端子とが確実に電気的に接続されるようになっている。このため、上記の構成によると、電子部品側接続端子と本体側接続端子とが接続される位置と厚さ方向の同じ範囲に複数の係合用凹部が、この電子部品側接続端子を挟み込むように形成されているので、係合爪及び係合用凹部の位置が電子部品側接続端子と本体側接続端子との接続点とずれている場合に比べ、接続端子付電子部品ががたつかず、携帯端末を落下させるなどにより接続端子付電子部品に衝撃が加わった場合でも、接続端子間が瞬間的に離れて電源が一時的に切断されるようなことはない。
【００１２】
第３の発明では、第１又は第２の発明において、
上記部品装着用凹部の周縁には、上記蓋部材に当接する封止部材を収容するための封止部材収容部が形成されている。
【００１３】
上記の構成によると、接続端子付電子部品の厚さ方向中間部に設けた係合用凹部に係合爪を係合させるようにしているので、係合爪及び係合用凹部が部品装着用凹部の周縁に現れず、封止部材と係合爪及び係合用凹部との干渉を避けるために封止部材収容部を接続端子付電子部品の外周から離すように大きくする必要がなく、蓋部材を外したときの見映えがよくなると共に、携帯端末が小型化される。
【００１４】
第４の発明では、第１乃至第３のいずれか１つの発明において、
上記係合用凹部は、上記蓋部材側の面が該蓋部材側に向かって広がっている。
【００１５】
上記の構成によると、係合用凹部側から接続端子付電子部品を部品装着用凹部に装着するときに、係合爪が係合用凹部の蓋部材側の面と干渉せず、係合用凹部に挿入しやすい。
【００１６】
第５の発明では、第１乃至第４のいずれか１つの発明において、
上記接続端子付電子部品は、充電池とする。
【００１７】
上記の構成によると、携帯端末を落下させるなどにより比重の大きい充電池に衝撃が加わった場合でも、接続端子間が瞬間的に離れて電源が一時的に切断されるようなことはない。また、共用化が容易な充電池を備えたコンパクトな携帯端末が得られる。
【００１８】
第６の発明の携帯端末用接続端子付電子部品は、
１つの側面の厚さ方向中間部に接続端子が設けられ、該接続端子を挟み込むように、該１つの側面の両端における厚さ方向中間部に複数の係合用凹部が形成され、
上記係合用凹部は、厚さ方向一方の面に向かって広がっている。
【００１９】
上記の構成によると、携帯端末用接続端子付電子部品側に係合用凹部を設けているので、従来のように携帯端末側に係合用凹部を形成する必要はなく、携帯端末内に基板や電子部品を配置するときに制約を受けることはない。このため、携帯端末側に係合爪を設けやすくなり、接続端子付電子部品の共用化が容易となる。また、接続端子付電子部品の厚さ方向中間部に設けた複数の係合用凹部に携帯端末側の係合爪を係合させるようにしているので、例えば接続端子付電子部品の表面側に係合用凹部を設ける場合に比べて接続端子付電子部品装着時の見映えがよい上、接続端子付電子部品ががたつかず、携帯端末の本体側接続端子の付勢力により係合爪と係合用凹部とが確実に係合され、携帯端末を落下させるなどにより接続端子付電子部品に衝撃が加わった場合でも、接続端子間が瞬間的に離れて電源が一時的に切断されるようなことはない。さらに係合用凹部が接続端子付電子部品側面の両端に設けられているので、接続端子付電子部品側の回路実装が制約を受けることはない。
【発明の効果】
【００２０】
以上説明したように、本発明によれば、部品装着用凹部に突出させた係合爪を接続端子付電子部品の厚さ方向中間部に凹陥させた係合用凹部に係合させるようにしたことにより、接続端子付電子部品を部品装着用凹部に確実に装着できる一方、部品装着用凹部側に係合用凹部を設ける必要がなくなって接続端子付電子部品の共用化を図ることができると共に、携帯端末の小型化も図ることができる。
【図面の簡単な説明】
【００２１】
【図１】本実施形態の充電池を一部拡大して示す側面図である。
【図２】充電池の平面図である。
【図３】充電池の正面図である。
【図４】充電池を装着し、電池蓋を外した状態の携帯電話機の下側筐体を示す背面図である。
【図５】図４のＶ−Ｖ線断面図である。
【図６】本体側接続端子及びその周辺を拡大して示す斜視図である。
【図７】係合爪及びその周辺を拡大して示す斜視図である。
【図８】係合爪及び係合用凹部を拡大して示す断面図であり、（ａ）が充電池を装着する様子を示し、（ｂ）が充電池を装着した様子を示す。
【図９】変形例の携帯電話機の下側筐体を示す正面図である。
【図１０】変形例の携帯電話機の下側筐体を示す背面図である。
【図１１】図９のXI−XI線断面図である。
【図１２】図９のXII−XII線断面図である。
【図１３】係合爪、本体側接続端子及びその周辺を拡大して示す斜視図である。
【発明を実施するための形態】
【００２２】
以下、本発明の実施形態を図面に基づいて説明する。
【００２３】
図４及び図５は本発明の実施形態の携帯端末としての携帯電話機１を示す。この携帯電話機１は、例えば、折畳み式の携帯電話機１であり、詳しくは図示しないが、ディスプレイを有する上側筐体３（図５に二点鎖線で示す）と、操作部４を有する携帯端末本体としての下側筐体５とがヒンジ部６を中心に折畳み開閉自在に連結されている。
【００２４】
図５に示すように、下側筐体５は、表面側と裏面側とで分割された表面側キャビネット５ａと、裏面側キャビネット５ｂとを備え、これらの間に基板７が挟み込まれている。表面側キャビネット５ａ側には、携帯電話機１の各種機能を操作するための操作キー４ａが配列され、その下側に通信用のマイク１４が配置されている。裏面側キャビネット５ｂは、例えば、ＡＢＳ樹脂等で形成されている。
【００２５】
また詳しくは図示しないが、下側筐体５の下面には、充電器（図示せず）から伸びる電線のコネクタ５０を接続する充電端子接続部８が凹陥されている。
【００２６】
上記裏面側キャビネット５ｂの上側には、カメラ９が配置され、その下側に略矩形状の部品装着用凹部としての電池装着用凹部１０が凹陥されている。電池装着用凹部１０の周縁は、裏面側キャビネット５ｂの表面よりも低く形成された電池蓋当接面１１が枠状に形成されている。図５に示すように、電池装着用凹部１０に接続端子付電子部品としての充電池２０を装着し、電池蓋当接面１１に蓋部材としての電池蓋１５（同図に二点鎖線で示す）の裏面が当接された状態で、電池装着用凹部１０が電池蓋１５で覆われている。
【００２７】
充電池２０は、例えばリチウムイオンバッテリーの電池パックよりなり、詳しくは図示しないが、複数の二次電池がＰＣ（ポリカーボネート）等よりなる容器内に内蔵されている。
【００２８】
そして、図６に示すように、上記電池装着用凹部１０のカメラ９側（上側）壁部１０ａの背面から見て右側には、下側筐体５内部で上記充電端子接続部８と電気的に接続される本体側接続端子１６が設けられている。この本体側接続端子１６は、下側筐体５内に（上方へ）押込可能に構成され、押し込まれたときに下方へ押し戻すように付勢する弾性部材（図示せず）を有している。この本体側接続端子１６を両側から挟み込むように、図５〜図７に示すように、電池装着用凹部１０の上側壁部１０ａの左右両側には、充電池２０側へ突出する係合爪１７がそれぞれ設けられている。なお、図６では、右側の係合爪１７は隠れていて見えない。
【００２９】
一方、図１〜図３に示すように、上記一対の係合爪１７に対応して、充電池２０の上面２０ａ両側の厚さ方向中間部には、係合爪１７が係合する係合用凹部２１が凹陥されている。充電池２０の上面２０ａには、上記本体側接続端子１６に当接する充電池側接続端子２２が配置されている。つまり、図２に示すように、係合用凹部２１は、この充電池側接続端子２２が設けられた厚さ方向の同じ範囲内に、好ましくは本体側接続端子１６が当接する点をつなぐ左右に伸びる１本の直線上に、この充電池側接続端子２２を挟み込むように配置されている。また、図１で一部拡大して示すように、係合用凹部２１における電池蓋１５側の側面である電池蓋側面２１ａは、電池蓋１５側（充電池２０の表面側）に向かって広がっている。例えば、断面で曲線となるように広げられている。また、係合用凹部２１は、充電池２０の上面２０ａの両端に設けられているので、充電池２０の回路実装が制約を受けることはない。
【００３０】
−充電池の装着方法−
次に、本実施形態にかかる充電池２０の装着方法について説明する。
【００３１】
まず、図８（ａ）に示すように、充電池２０の上面２０ａを上側壁部１０ａに当接させるように、斜めに充電池２０を電池装着用凹部１０に挿入する。
【００３２】
そして、本体側接続端子１６を押し込みながら、この本体側接続端子１６に充電池側接続端子２２を当接させ、充電池２０の下面２０ｂ側を電池装着用凹部１０の下側壁部１０ｂに嵌め込んで、充電池２０の裏面２０ｃを電池装着用凹部１０の底壁１０ｃに当接させる。このとき、係合用凹部２１における電池蓋側面２１ａが電池蓋１５側に向かって広がっているので、係合爪１７と電池蓋側面２１ａとが干渉せず、充電池２０が容易に電池装着用凹部１０に挿入される。
【００３３】
そして、この状態で、図５及び図８（ｂ）に二点鎖線で示すように、電池蓋１５の裏面を電池蓋当接面１１に当接させて電池蓋１５で充電池２０を覆う。
【００３４】
この充電池２０が装着された状態で、充電池２０を充電する場合には、図４に二点鎖線で示すように、下側筐体５下端の充電端子接続部８に充電器のコネクタ５０を接続して充電する。
【００３５】
このように、電池装着用凹部１０側に係合用凹部２１を凹陥させるのではなく、係合爪１７を突出させているので、この係合爪１７を設けることによって下側筐体５内の基板７や電子部品を配置するときに制約を受けることはない。このため、電池装着用凹部１０に係合爪１７を設けやすくなり、携帯電話機１の機種が異なっても充電池２０を共用させやすい。
【００３６】
また、充電池２０の厚さ方向中間部に設けた係合用凹部２１に係合爪１７を係合させるようにしているので、充電池２０の電池蓋１５側に係合用凹部２１を設ける場合のように係合爪１７及び係合用凹部２１が電池蓋当接面１１において露出せず、充電池２０装着時の見映えがよい。
【００３７】
さらに、充電池側接続端子２２と本体側接続端子１６との接続点に対して厚さ方向の同じ範囲で充電池側接続端子２２を挟み込むように一対の係合用凹部２１が形成されているので、本体側接続端子１６の付勢力により係合爪１７と係合用凹部２１とが確実に係合され、充電池２０ががたつくことはない。このため、携帯電話機１を落下させるなどにより、質量の大きい充電池２０に衝撃が加わった場合でも、両接続端子１６，２２間が瞬間的に離れて電源が一時的に切断されるようなことはない。
【００３８】
したがって、充電池２０を電池装着用凹部１０に確実に装着できる一方、電池装着用凹部１０側に係合用凹部２１を設ける必要がなくなって充電池２０の共用化を図ることができると共に、携帯電話機１の小型化も図ることができる。
【００３９】
−実施形態の変形例−
図９〜図１３は本発明の実施形態の変形例を示し、特に下側筐体５において、係合爪１７の位置が異なり、封止部材としての防水パッキン１２を備える点で上記実施形態と異なる。なお、図１〜図８と同じ部分については同じ符号を付してその詳細な説明は省略する。
【００４０】
すなわち、本変形例では、図１３に拡大して示すように、電池装着用凹部１０の背面から見て右側の右側壁１０ｄに、本体側接続端子１６と係合爪１７とが形成されている。また、電池蓋当接面１１には、防水パッキン１２を収容するために、電池蓋当接面１１よりも低い封止部材収容部としてのパッキン収容部１３が凹陥されている。防水パッキン１２は、ゴム等で形成され、防水効果だけでなく、防塵効果等を備えていれば、パッキン以外のガスケット等のシール構造でもよい。
【００４１】
このパッキン収容部１３には、上記実施形態と同じ充電池２０が使用可能となっている。そして、パッキン収容部１３の右側壁１０ｄに上記実施形態と同じ間隔をあけて係合爪１７が一対設けられている。つまり、充電池２０は、上記実施形態の充電池２０に対し、背面から見て時計回りに９０°回転させた状態で、パッキン収容部１３に収容されるようになっている。
【００４２】
そして、パッキン収容部１３に防水パッキン１２を嵌め込んだ状態で、電池装着用凹部１０を電池蓋１５で覆うと、電池蓋１５裏面と防水パッキン１２とが密着するように構成されている。
【００４３】
本変形例にかかる充電池２０の装着方法においては、電池蓋１５を外した状態で、パッキン収容部１３に予め防水パッキン１２を嵌め込んでおけばよい。そうすることで、電池蓋１５で充電池２０を覆ったときに、電池蓋１５の裏面が防水パッキン１２に当接して防水効果が発揮される。
【００４４】
しかも、本変形例においても、充電池２０の厚さ方向中間部に設けた係合用凹部２１に係合爪１７を係合させるようにしているので、係合爪１７及び係合用凹部２１が電池蓋当接面１１に現れず、防水パッキン１２と係合爪１７及び係合用凹部２１との干渉を避けるためにパッキン収容部１３を充電池２０の外周から大きく離す必要がなく、電池蓋１５を外したときの見映えがよくなると共に、携帯電話機１が小型化される。
【００４５】
このように、簡単な構成で、本変形例においても上記実施形態と同じ充電池２０を共用することができる。
【００４６】
（その他の実施形態）
本発明は、上記実施形態について、以下のような構成としてもよい。
【００４７】
すなわち、上記実施形態では、本体側接続端子１６及び係合用凹部２１を、背面から見て電池装着用凹部１０の上側や右側に設けたが、電池装着用凹部１０の下側や左側に設けてもよい。この場合には、充電池２０を適宜回転させて装着すれば、同じ充電池２０を共用できる。
【００４８】
上記実施形態では、係合用凹部２１における電池蓋側面２１ａは、断面で湾曲させて電池蓋１５側に向かって広がるよう形成しているが、平坦なテーパ面を設けることで電池蓋１５側に向かって広がるようにしてもよい。
【００４９】
上記実施形態では、係合爪１７及び係合用凹部２１をそれぞれ一対ずつ設けたが、それぞれ３つ以上設けてもよい。
【００５０】
上記実施形態では、携帯端末は、折畳み式の携帯電話機１としたが、これに限定されず、上側筐体が下側筐体に対してスライドするスライド式携帯電話機や、上側筐体と下側筐体とが一体となったストレートタイプの携帯電話機としてもよい。
【００５１】
上記実施形態では、接続端子付電子部品を充電池２０としたが、部品装着用凹部内の１つの側面に接続端子を持つものであれば、記録メディアなどでも構わない。例えば、着脱可能なカートリッジ式ハードディスクドライブ、例えば、ｉＶＤＲ（Information Versatile Disk for Removable usage、登録商標）などが考えられる。また、フラッシュメモリを使用していても厚い記憶媒体、例えば、ＳＳＤ（Solid State Drive ）でもよい。
【００５２】
上記実施形態では、携帯端末は、携帯電話機１としたが、ＰＨＳ（Personal Handy-phone System ）、ＰＤＡ(Personal Digital Assistant)、パソコン、デジタルカメラ、ビデオカメラ、ＮＡＳ（Network Attached Storage）、電子辞書、電卓、ゲーム機等であってもよい。
【００５３】
なお、以上の実施形態は、本質的に好ましい例示であって、本発明、その適用物や用途の範囲を制限することを意図するものではない。
【産業上の利用可能性】
【００５４】
以上説明したように、本発明は、充電池や記録メディアのような接続端子付電子部品及びそれを備えた携帯端末について有用である。
【符号の説明】
【００５５】
１      携帯電話機（携帯端末）
５      下側筐体（携帯端末本体）
１０      電池装着用凹部（部品装着用凹部）
１０ａ    上側側壁（１つの側壁）
１０ｃ    底壁
１０ｄ    右側側壁（１つの側壁）
１１      電池蓋当接面（周縁）
１２      防水パッキン（封止部材）
１３      パッキン収容部（封止部材収容部）
１５      電池蓋（蓋部材）
１６      本体側接続端子
１７      係合爪
２０      充電池（接続端子付電子部品）
２０ａ    上面（１つの側面）
２０ｃ    裏面
２１      係合用凹部
２１ａ    電池蓋側面
２２      充電池側接続端子（電子部品側接続端子）
【図１】
2011244156.tif 000003
【図２】
2011244156.tif 000004
【図３】
2011244156.tif 000005
【図４】
2011244156.tif 000006
【図５】
2011244156.tif 000007
【図６】
2011244156.tif 000008
【図７】
2011244156.tif 000009
【図８】
2011244156.tif 000010
【図９】
2011244156.tif 000011
【図１０】
2011244156.tif 000012
【図１１】
2011244156.tif 000013
【図１２】
2011244156.tif 000014
【図１３】
2011244156.tif 000015
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
接続端子を有する接続端子付電子部品を備えた携帯端末において、
上記接続端子付電子部品を装着する部品装着用凹部が凹陥された携帯端末本体と、
上記部品装着用凹部の１つの側壁に上記接続端子付電子部品側へ突出するように設けられた係合爪と、
上記接続端子付電子部品の１つの側面両端における厚さ方向中間部に該１つの側面に連続する対向する側面側にもそれぞれ開口するように凹陥され、上記係合爪が係合する係合用凹部と、
上記接続端子付電子部品の裏面を上記部品装着用凹部の底壁に当接させて装着した状態で該接続端子付電子部品の表面側を覆う蓋部材とを備え、
上記接続端子付電子部品の接続端子は、上記接続端子付電子部品の１つの側面に設けられ、
上記部品装着用凹部の１つの側壁には、上記接続端子付電子部品の接続端子に電気的に接続可能な本体側接続端子が設けられ、
上記係合用凹部は、上記側面における上記電子部品側接続端子が上記本体側接続端子と接続される位置と厚さ方向の同じ範囲内に該電子部品側接続端子を挟み込むように複数配置されている
ことを特徴とする接続端子付電子部品を備えた携帯端末。
【請求項２】
請求項１に記載の接続端子付電子部品を備えた携帯端末において、
上記部品装着用凹部の周縁には、上記蓋部材に当接する封止部材を収容するための封止部材収容部が形成されている
ことを特徴とする接続端子付電子部品を備えた携帯端末。
【手続補正２】
【補正対象書類名】明細書
【補正対象項目名】全文
【補正方法】変更
【補正の内容】
【発明の詳細な説明】
【技術分野】
【０００１】
本発明は、接続端子付電子部品を備えた携帯端末に関するものである。
【背景技術】
【０００２】
従来より、携帯した場合に外部電源を必要としない、接続端子付電子部品としての充電池を備えた携帯端末は知られている。例えば、特許文献１では、充電池における接続端子を有する側面に、この接続端子を挟み込むように突起を設け、携帯端末本体に凹陥した部品装着用凹部の側壁に上記突起に合わせて係合用の凹部を設け、充電池を部品装着用凹部に確実に装着させるようにしている。なお、この充電池の突起の位置は、充電池の厚さ方向における充電池の接続端子と本体側の接続端子との接続位置に対し、ずれた位置にある。
【０００３】
また、従来より、着脱可能なカートリッジ式ハードディスクドライブや、フラッシュメモリを用いたドライブ装置であるＳＳＤ（Solid State Drive ）等の接続端子付電子部品を備えた携帯端末が知られている。
【先行技術文献】
【特許文献】
【０００４】
【特許文献１】特開２００７−１５７４５２号公報
【発明の概要】
【発明が解決しようとする課題】
【０００５】
しかしながら、従来の接続端子付電子部品を備えた携帯端末では、接続端子付電子部品側に突起を設ける関係で、この突起の位置に合わせて携帯端末本体の部品装着用凹部側に係合用の凹部を形成する必要があるが、近年の携帯端末の小型化に伴って携帯端末本体内部の基板や電子部品の配置の制約により、凹部を設けることができる位置が機種ごとに異なる場合がある。このような場合は、接続端子付電子部品側の突起の位置を変更せざるを得ず、接続端子付電子部品の共用を妨げる原因となる。
【０００６】
本発明は、かかる点に鑑みてなされたものであり、その目的とするところは、部品装着用凹部に確実に装着できる接続端子付電子部品の共用化と、携帯端末の小型化とを両立させることにある。
【課題を解決するための手段】
【０００７】
上記の目的を達成するために、この発明では、接続端子付電子部品と部品装着用凹部との係合構造を改善した。
【０００８】
具体的には、第１の発明では、接続端子を有する接続端子付電子部品を備えた携帯端末を前提とし、
上記携帯端末は、
上記接続端子付電子部品を装着する部品装着用凹部が凹陥された携帯端末本体と、
上記部品装着用凹部の１つの側壁に上記接続端子付電子部品側へ突出するように設けられた係合爪と、
上記接続端子付電子部品の１つの側面両端における厚さ方向中間部に該１つの側面に連続する対向する側面側にもそれぞれ開口するように凹陥され、上記係合爪が係合する係合用凹部と、
上記接続端子付電子部品の裏面を上記部品装着用凹部の底壁に当接させて装着した状態で該接続端子付電子部品の表面側を覆う蓋部材とを備え、
上記接続端子付電子部品の接続端子は、上記接続端子付電子部品の１つの側面に設けられ、
上記部品装着用凹部の１つの側壁には、上記接続端子付電子部品の接続端子に電気的に接続可能な本体側接続端子が設けられ、
上記係合用凹部は、上記側面における上記電子部品側接続端子が上記本体側接続端子と接続される位置と厚さ方向の同じ範囲内に該電子部品側接続端子を挟み込むように複数配置されている。
【０００９】
上記の構成によると、携帯端末本体の部品装着用凹部側に係合爪を突出させているので、従来のように部品装着用凹部に係合用凹部を形成する必要はなく、携帯端末本体内に基板や電子部品を配置するときに制約を受けることはない。このため、部品装着用凹部に係合爪を設けやすくなり、接続端子付電子部品の共用化が容易となる。また、接続端子付電子部品の厚さ方向中間部に設けた係合用凹部に係合爪を係合させるようにしているので、例えば接続端子付電子部品の蓋部材側（表面側）に係合用凹部を設ける場合のように係合用凹部及び係合爪が露出せず、接続端子付電子部品装着時の見映えがよくなる。しかも部品装着用凹部の周縁に封止部材を設けて防水構造にするような場合には、封止部材と係合爪及び係合用凹部との干渉を避けるために封止部材のサイズを大きくする必要がない。さらに係合用凹部が接続端子付電子部品側面の両端に設けられているので、接続端子付電子部品側の回路実装が制約を受けることはない。また、本体側接続端子は、通常押込可能に構成され、押し込まれたときの反発力で電子部品側接続端子と本体側接続端子とが確実に電気的に接続されるようになっている。このため、上記の構成によると、電子部品側接続端子と本体側接続端子とが接続される位置と厚さ方向の同じ範囲に複数の係合用凹部が、この電子部品側接続端子を挟み込むように形成されているので、係合爪及び係合用凹部の位置が電子部品側接続端子と本体側接続端子との接続点とずれている場合に比べ、接続端子付電子部品ががたつかず、携帯端末を落下させるなどにより接続端子付電子部品に衝撃が加わった場合でも、接続端子間が瞬間的に離れて電源が一時的に切断されるようなことはない。
【００１０】
第２の発明では、第１の発明において、
上記部品装着用凹部の周縁には、上記蓋部材に当接する封止部材を収容するための封止部材収容部が形成されている。
【００１１】
上記の構成によると、接続端子付電子部品の厚さ方向中間部に設けた係合用凹部に係合爪を係合させるようにしているので、係合爪及び係合用凹部が部品装着用凹部の周縁に現れず、封止部材と係合爪及び係合用凹部との干渉を避けるために封止部材収容部を接続端子付電子部品の外周から離すように大きくする必要がなく、蓋部材を外したときの見映えがよくなると共に、携帯端末が小型化される。
【発明の効果】
【００１２】
以上説明したように、本発明によれば、部品装着用凹部に突出させた係合爪を接続端子付電子部品の厚さ方向中間部に凹陥させた係合用凹部に係合させるようにしたことにより、接続端子付電子部品を部品装着用凹部に確実に装着できる一方、部品装着用凹部側に係合用凹部を設ける必要がなくなって接続端子付電子部品の共用化を図ることができると共に、携帯端末の小型化も図ることができる。
【図面の簡単な説明】
【００１３】
【図１】本実施形態の充電池を一部拡大して示す側面図である。
【図２】充電池の平面図である。
【図３】充電池の正面図である。
【図４】充電池を装着し、電池蓋を外した状態の携帯電話機の下側筐体を示す背面図である。
【図５】図４のＶ−Ｖ線断面図である。
【図６】本体側接続端子及びその周辺を拡大して示す斜視図である。
【図７】係合爪及びその周辺を拡大して示す斜視図である。
【図８】係合爪及び係合用凹部を拡大して示す断面図であり、（ａ）が充電池を装着する様子を示し、（ｂ）が充電池を装着した様子を示す。
【図９】変形例の携帯電話機の下側筐体を示す正面図である。
【図１０】変形例の携帯電話機の下側筐体を示す背面図である。
【図１１】図９のXI−XI線断面図である。
【図１２】図９のXII−XII線断面図である。
【図１３】係合爪、本体側接続端子及びその周辺を拡大して示す斜視図である。
【発明を実施するための形態】
【００１４】
以下、本発明の実施形態を図面に基づいて説明する。
【００１５】
図４及び図５は本発明の実施形態の携帯端末としての携帯電話機１を示す。この携帯電話機１は、例えば、折畳み式の携帯電話機１であり、詳しくは図示しないが、ディスプレイを有する上側筐体３（図５に二点鎖線で示す）と、操作部４を有する携帯端末本体としての下側筐体５とがヒンジ部６を中心に折畳み開閉自在に連結されている。
【００１６】
図５に示すように、下側筐体５は、表面側と裏面側とで分割された表面側キャビネット５ａと、裏面側キャビネット５ｂとを備え、これらの間に基板７が挟み込まれている。表面側キャビネット５ａ側には、携帯電話機１の各種機能を操作するための操作キー４ａが配列され、その下側に通信用のマイク１４が配置されている。裏面側キャビネット５ｂは、例えば、ＡＢＳ樹脂等で形成されている。
【００１７】
また詳しくは図示しないが、下側筐体５の下面には、充電器（図示せず）から伸びる電線のコネクタ５０を接続する充電端子接続部８が凹陥されている。
【００１８】
上記裏面側キャビネット５ｂの上側には、カメラ９が配置され、その下側に略矩形状の部品装着用凹部としての電池装着用凹部１０が凹陥されている。電池装着用凹部１０の周縁は、裏面側キャビネット５ｂの表面よりも低く形成された電池蓋当接面１１が枠状に形成されている。図５に示すように、電池装着用凹部１０に接続端子付電子部品としての充電池２０を装着し、電池蓋当接面１１に蓋部材としての電池蓋１５（同図に二点鎖線で示す）の裏面が当接された状態で、電池装着用凹部１０が電池蓋１５で覆われている。
【００１９】
充電池２０は、例えばリチウムイオンバッテリーの電池パックよりなり、詳しくは図示しないが、複数の二次電池がＰＣ（ポリカーボネート）等よりなる容器内に内蔵されている。
【００２０】
そして、図６に示すように、上記電池装着用凹部１０のカメラ９側（上側）壁部１０ａの背面から見て右側には、下側筐体５内部で上記充電端子接続部８と電気的に接続される本体側接続端子１６が設けられている。この本体側接続端子１６は、下側筐体５内に（上方へ）押込可能に構成され、押し込まれたときに下方へ押し戻すように付勢する弾性部材（図示せず）を有している。この本体側接続端子１６を両側から挟み込むように、図５〜図７に示すように、電池装着用凹部１０の上側壁部１０ａの左右両側には、充電池２０側へ突出する係合爪１７がそれぞれ設けられている。なお、図６では、右側の係合爪１７は隠れていて見えない。
【００２１】
一方、図１〜図３に示すように、上記一対の係合爪１７に対応して、充電池２０の上面２０ａ両側の厚さ方向中間部には、係合爪１７が係合する係合用凹部２１が凹陥されている。充電池２０の上面２０ａには、上記本体側接続端子１６に当接する充電池側接続端子２２が配置されている。つまり、図２に示すように、係合用凹部２１は、この充電池側接続端子２２が設けられた厚さ方向の同じ範囲内に、好ましくは本体側接続端子１６が当接する点をつなぐ左右に伸びる１本の直線上に、この充電池側接続端子２２を挟み込むように配置されている。また、図１で一部拡大して示すように、係合用凹部２１における電池蓋１５側の側面である電池蓋側面２１ａは、電池蓋１５側（充電池２０の表面側）に向かって広がっている。例えば、断面で曲線となるように広げられている。また、係合用凹部２１は、充電池２０の上面２０ａの両端に設けられているので、充電池２０の回路実装が制約を受けることはない。
【００２２】
−充電池の装着方法−
次に、本実施形態にかかる充電池２０の装着方法について説明する。
【００２３】
まず、図８（ａ）に示すように、充電池２０の上面２０ａを上側壁部１０ａに当接させるように、斜めに充電池２０を電池装着用凹部１０に挿入する。
【００２４】
そして、本体側接続端子１６を押し込みながら、この本体側接続端子１６に充電池側接続端子２２を当接させ、充電池２０の下面２０ｂ側を電池装着用凹部１０の下側壁部１０ｂに嵌め込んで、充電池２０の裏面２０ｃを電池装着用凹部１０の底壁１０ｃに当接させる。このとき、係合用凹部２１における電池蓋側面２１ａが電池蓋１５側に向かって広がっているので、係合爪１７と電池蓋側面２１ａとが干渉せず、充電池２０が容易に電池装着用凹部１０に挿入される。
【００２５】
そして、この状態で、図５及び図８（ｂ）に二点鎖線で示すように、電池蓋１５の裏面を電池蓋当接面１１に当接させて電池蓋１５で充電池２０を覆う。
【００２６】
この充電池２０が装着された状態で、充電池２０を充電する場合には、図４に二点鎖線で示すように、下側筐体５下端の充電端子接続部８に充電器のコネクタ５０を接続して充電する。
【００２７】
このように、電池装着用凹部１０側に係合用凹部２１を凹陥させるのではなく、係合爪１７を突出させているので、この係合爪１７を設けることによって下側筐体５内の基板７や電子部品を配置するときに制約を受けることはない。このため、電池装着用凹部１０に係合爪１７を設けやすくなり、携帯電話機１の機種が異なっても充電池２０を共用させやすい。
【００２８】
また、充電池２０の厚さ方向中間部に設けた係合用凹部２１に係合爪１７を係合させるようにしているので、充電池２０の電池蓋１５側に係合用凹部２１を設ける場合のように係合爪１７及び係合用凹部２１が電池蓋当接面１１において露出せず、充電池２０装着時の見映えがよい。
【００２９】
さらに、充電池側接続端子２２と本体側接続端子１６との接続点に対して厚さ方向の同じ範囲で充電池側接続端子２２を挟み込むように一対の係合用凹部２１が形成されているので、本体側接続端子１６の付勢力により係合爪１７と係合用凹部２１とが確実に係合され、充電池２０ががたつくことはない。このため、携帯電話機１を落下させるなどにより、質量の大きい充電池２０に衝撃が加わった場合でも、両接続端子１６，２２間が瞬間的に離れて電源が一時的に切断されるようなことはない。
【００３０】
したがって、充電池２０を電池装着用凹部１０に確実に装着できる一方、電池装着用凹部１０側に係合用凹部２１を設ける必要がなくなって充電池２０の共用化を図ることができると共に、携帯電話機１の小型化も図ることができる。
【００３１】
−実施形態の変形例−
図９〜図１３は本発明の実施形態の変形例を示し、特に下側筐体５において、係合爪１７の位置が異なり、封止部材としての防水パッキン１２を備える点で上記実施形態と異なる。なお、図１〜図８と同じ部分については同じ符号を付してその詳細な説明は省略する。
【００３２】
すなわち、本変形例では、図１３に拡大して示すように、電池装着用凹部１０の背面から見て右側の右側壁１０ｄに、本体側接続端子１６と係合爪１７とが形成されている。また、電池蓋当接面１１には、防水パッキン１２を収容するために、電池蓋当接面１１よりも低い封止部材収容部としてのパッキン収容部１３が凹陥されている。防水パッキン１２は、ゴム等で形成され、防水効果だけでなく、防塵効果等を備えていれば、パッキン以外のガスケット等のシール構造でもよい。
【００３３】
このパッキン収容部１３には、上記実施形態と同じ充電池２０が使用可能となっている。そして、パッキン収容部１３の右側壁１０ｄに上記実施形態と同じ間隔をあけて係合爪１７が一対設けられている。つまり、充電池２０は、上記実施形態の充電池２０に対し、背面から見て時計回りに９０°回転させた状態で、パッキン収容部１３に収容されるようになっている。
【００３４】
そして、パッキン収容部１３に防水パッキン１２を嵌め込んだ状態で、電池装着用凹部１０を電池蓋１５で覆うと、電池蓋１５裏面と防水パッキン１２とが密着するように構成されている。
【００３５】
本変形例にかかる充電池２０の装着方法においては、電池蓋１５を外した状態で、パッキン収容部１３に予め防水パッキン１２を嵌め込んでおけばよい。そうすることで、電池蓋１５で充電池２０を覆ったときに、電池蓋１５の裏面が防水パッキン１２に当接して防水効果が発揮される。
【００３６】
しかも、本変形例においても、充電池２０の厚さ方向中間部に設けた係合用凹部２１に係合爪１７を係合させるようにしているので、係合爪１７及び係合用凹部２１が電池蓋当接面１１に現れず、防水パッキン１２と係合爪１７及び係合用凹部２１との干渉を避けるためにパッキン収容部１３を充電池２０の外周から大きく離す必要がなく、電池蓋１５を外したときの見映えがよくなると共に、携帯電話機１が小型化される。
【００３７】
このように、簡単な構成で、本変形例においても上記実施形態と同じ充電池２０を共用することができる。
【００３８】
（その他の実施形態）
本発明は、上記実施形態について、以下のような構成としてもよい。
【００３９】
すなわち、上記実施形態では、本体側接続端子１６及び係合用凹部２１を、背面から見て電池装着用凹部１０の上側や右側に設けたが、電池装着用凹部１０の下側や左側に設けてもよい。この場合には、充電池２０を適宜回転させて装着すれば、同じ充電池２０を共用できる。
【００４０】
上記実施形態では、係合用凹部２１における電池蓋側面２１ａは、断面で湾曲させて電池蓋１５側に向かって広がるよう形成しているが、平坦なテーパ面を設けることで電池蓋１５側に向かって広がるようにしてもよい。
【００４１】
上記実施形態では、係合爪１７及び係合用凹部２１をそれぞれ一対ずつ設けたが、それぞれ３つ以上設けてもよい。
【００４２】
上記実施形態では、携帯端末は、折畳み式の携帯電話機１としたが、これに限定されず、上側筐体が下側筐体に対してスライドするスライド式携帯電話機や、上側筐体と下側筐体とが一体となったストレートタイプの携帯電話機としてもよい。
【００４３】
上記実施形態では、接続端子付電子部品を充電池２０としたが、部品装着用凹部内の１つの側面に接続端子を持つものであれば、記録メディアなどでも構わない。例えば、着脱可能なカートリッジ式ハードディスクドライブ、例えば、ｉＶＤＲ（Information Versatile Disk for Removable usage、登録商標）などが考えられる。また、フラッシュメモリを使用していても厚い記憶媒体、例えば、ＳＳＤ（Solid State Drive ）でもよい。
【００４４】
上記実施形態では、携帯端末は、携帯電話機１としたが、ＰＨＳ（Personal Handy-phone System ）、ＰＤＡ(Personal Digital Assistant)、パソコン、デジタルカメラ、ビデオカメラ、ＮＡＳ（Network Attached Storage）、電子辞書、電卓、ゲーム機等であってもよい。
【００４５】
なお、以上の実施形態は、本質的に好ましい例示であって、本発明、その適用物や用途の範囲を制限することを意図するものではない。
【産業上の利用可能性】
【００４６】
以上説明したように、本発明は、充電池や記録メディアのような接続端子付電子部品及びそれを備えた携帯端末について有用である。
【符号の説明】
【００４７】
１      携帯電話機（携帯端末）
５      下側筐体（携帯端末本体）
１０      電池装着用凹部（部品装着用凹部）
１０ａ    上側側壁（１つの側壁）
１０ｃ    底壁
１０ｄ    右側側壁（１つの側壁）
１１      電池蓋当接面（周縁）
１２      防水パッキン（封止部材）
１３      パッキン収容部（封止部材収容部）
１５      電池蓋（蓋部材）
１６      本体側接続端子
１７      係合爪
２０      充電池（接続端子付電子部品）
２０ａ    上面（１つの側面）
２０ｃ    裏面
２１      係合用凹部
２１ａ    電池蓋側面
２２      充電池側接続端子（電子部品側接続端子）